(57)【要約】      （修正有）【課題】ホルダに保持されたフレキシブルＰ板をコネクタに確実に挿入することができるフレキシブルプリント基板挿入接続装置を提供する。【解決手段】コネクタ１９のフレキシブルプリント基板挿入孔と直角方向の断面形状を、一方はストレート、他方は深さＬ１の段付き形状とし、ホルダ１５下端には長さＬ２のテーパ部と長さＬ３のＲを付け、ホルダ１５の下端部寸法とホルダ１５の下端に対するフレキシブルＰ板１３の下端位置、及びコネクタ１９の寸法関係を、Ｌ４＞Ｌ２及びＬ４−Ｌ１−Ｌ３≧０．３の関係が成り立つように設定する。【選択図】図２
2006203012.tif 000002
【特許請求の範囲】
【請求項１】
磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルプリント基板で構成された回転ヘッドユニットと、前記固定ドラムに保持され前記フレキシブルプリント基板を保持するホルダと、前記回転ヘッドユニットを保持するシャーシと、前記シャーシの下部に位置する回路基板と、前記固定ドラムの下部に位置し前記フレキシブルプリント基板が挿入され前記回路基板に半田付けされたコネクタから成り、
前記コネクタの前記フレキシブルプリント基板挿入孔と直角方向の断面形状は、一方の側面がストレート形状で、もう一方の側面が深さＬ１の段付き形状となっており、前記コネクタのストレート形状の側面側の前記ホルダの下端部には長さＬ２のテーパー部を設け、前記コネクタの段付き形状の側面側の前記ホルダの下端部には長さＬ３のＲ形状を設け、前記ホルダの下端部と前記フレキシブルプリント基板の下端部の距離をＬ４とした時、
Ｌ４＞Ｌ２
及び
Ｌ４−Ｌ１−Ｌ３≧０．３
の関係が成り立つことを特徴とするフレキシブルプリント基板挿入接続装置。
【発明の詳細な説明】
【技術分野】
【０００１】
本発明は、ビデオテープレコーダー等に用いることができるフレキシブルプリント基板挿入接続装置に関するものである。
【背景技術】
【０００２】
従来のフレキシブルプリント基板挿入接続装置は、回転トランスユニットから引き出された記録・再生信号を伝達するフレキシブルプリント基板（以下、フレキシブルＰ板と記す）を位置決め保持するホルダがシャーシに保持される構成を有している。（例えば特許文献２参照）。
【０００３】
以下に従来のフレキシブルプリント基板挿入接続装置について説明する。
【０００４】
図７は従来のビデオテープレコーダーに用いられるフレキシブルプリント基板挿入接続装置の後部側面図を、図８〜図１２は図７におけるＹ１−Ｙ２部分断面図で組立過程を示すものである。なお、図７において、構成を明確に示すためにシャーシの一部を切り欠いて描画した。
【０００５】
図７〜図１２を説明すると、１は磁気テープ（図示せず）を案内する固定ドラム、２は固定ドラム１に対し同軸的に回転し、少なくとも一対の磁気ヘッド（図示せず）を有する回転ドラム、３は固定ドラム１と回転ドラム２間に設けられ、磁気テープへの記録信号、または磁気テープからの再生信号を伝達する回転トランスユニット（図示せず）から引き出されたフレキシブルＰ板で、後述するホルダ５の下端とフレキシブルＰ板３の下端の距離をＬ２に設定し、ホルダ５に位置決め保持されている。４は固定ドラム１、回転ドラム２、フレキシブルＰ板３で構成される回転ヘッドユニット、５は固定ドラム１の下部に保持されたホルダで、後述するコネクタ９のストレート形状の側面側の下端部には長さＬ２のテーパー部を設け、後述するコネクタ９の段付き形状の側面側の下端部には長さＬ３のＲ形状を設けている。６は回転ヘッドユニット４を保持するシャーシ、７はシャーシ６の下部に位置する回路基板、８は回路基板７を保持しシャーシ６の位置決め及び台座となるスペーサー、９はフレキシブルＰ板３が挿入され回路基板７に半田付けされたコネクタで、フレキシブルＰ板３の挿入孔と直角方向の断面形状は、回路基板７への装着時の方向性を持たせるため、一方の側面がストレート形状で、もう一方の側面が深さＬ１の段付き形状となっており、回路基板７の電気回路に電気的に接続され、フレキシブルＰ板３が挿入されることでフレキシブルＰ板３との間で電気的接続がなされる。
【０００６】
以上のように構成された従来のフレキシブルプリント基板挿入接続装置について、以下にその動作について説明する。
【０００７】
磁気ヘッド（図示せず）を含む回転ドラム２が回転することによって、回路基板７→コネクタ９→フレキシブルＰ板３→回転トランスユニット（図示せず）→磁気ヘッド（図示せず）という経路で磁気テープ（図示せず）に映像・音声等の情報が記録される。また、記録済みの磁気テープ（図示せず）であれば、上述した逆の経路で記録情報を再生することができる。
【特許文献１】特許第３１４４４１３号公報（第５頁、図２）
【特許文献２】特開２００４−１７８７３０号公報
【発明の開示】
【発明が解決しようとする課題】
【０００８】
しかしながら上記の従来の構成（特許文献２）では、回転ヘッドユニット４を搭載したシャーシ６をスペーサー８上に載置する際、ホルダ５に位置決め保持されたフレキシブルＰ板３をコネクタ９に挿入させる必要があるが、スペーサー８に対するシャーシの挿入姿勢のばらつきや位置誤差等により、コネクタ９の挿入孔に対しフレキシブルＰ板３が挿入できない場合が発生する。コネクタ９の挿入孔に対するフレキシブルＰ板３の挿入過程について図８〜図１２を用いて説明すると、まず図８→図９→図１０に示すように、ホルダ５の長さＬ２のテーパー部がコネクタ９のストレート側上端面に案内された場合（図９）、フレキシブルＰ板３はコネクタ９の挿入孔に問題なく挿入される（図１０）。ところが、図８→図１１→図１２に示すように、ホルダ５の長さＬ３のＲ形状部がコネクタ９の深さＬ１の段付き部に案内された場合（図１１）、ホルダ５の下端に対するフレキシブルＰ板３の下端位置がホルダ５のテーパー部長さＬ２と同じＬ２に設定され、かつＬ２−Ｌ１−Ｌ３＜０の関係にあるため、フレキシブルＰ板３の下端部はコネクタ９の挿入孔以外の上端面部に当接し、さらにスペーサー８に対し回転ヘッドユニット４を含むシャーシ６を押し込むと、フレキシブルＰ板３はコネクタ９の挿入孔に挿入されずに折れ曲がり（図１２）、電気的接続がなされず正常な映像・音声信号が伝達できないという問題点を有していた。
【０００９】
本発明は上記従来の問題点を解決するもので、回転ヘッドユニットを搭載したシャーシをスペーサー上に載置する際、スペーサーに対するシャーシの挿入姿勢のばらつきや位置誤差等があっても、フレキシブルＰ板を確実にコネクタに挿入できるフレキシブルプリント基板挿入接続装置を提供することを目的とする。
【課題を解決するための手段】
【００１０】
この目的を達成するために本発明のフレキシブルプリント基板挿入接続装置は、磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルプリント基板で構成された回転ヘッドユニットと、前記固定ドラムに保持され前記フレキシブルプリント基板を保持するホルダと、前記回転ヘッドユニットを保持するシャーシと、前記シャーシの下部に位置する回路基板と、前記固定ドラムの下部に位置し前記フレキシブルプリント基板が挿入され前記回路基板に半田付けされたコネクタから成り、前記コネクタの前記フレキシブルプリント基板挿入孔と直角方向の断面形状は、一方の側面がストレート形状で、もう一方の側面が深さＬ１の段付き形状となっており、前記コネクタのストレート形状の側面側の前記ホルダの下端部には長さＬ２のテーパー部を設け、前記コネクタの段付き形状の側面側の前記ホルダの下端部には長さＬ３のＲ形状を設け、前記ホルダの下端部と前記フレキシブルプリント基板の下端部の距離をＬ４とした時、Ｌ４＞Ｌ２及びＬ４−Ｌ１−Ｌ３≧０．３の関係が成り立つという構成を有している。
【００１１】
この構成によって、フレキシブルＰ板を確実にコネクタに挿入できるフレキシブルプリント基板挿入接続装置が得られる。
【発明の効果】
【００１２】
以上のように本発明は、コネクタのフレキシブルプリント基板挿入孔と直角方向の断面形状は、一方の側面がストレート形状で、もう一方の側面が深さＬ１の段付き形状となっており、コネクタのストレート形状の側面側のホルダの下端部には長さＬ２のテーパー部を設け、コネクタの段付き形状の側面側のホルダの下端部には長さＬ３のＲ形状を設け、ホルダの下端部とフレキシブルプリント基板の下端部の距離をＬ４とした時、Ｌ４＞Ｌ２及びＬ４−Ｌ１−Ｌ３≧０．３の関係が成り立つようにしたことで、フレキシブルＰ板を確実にコネクタに挿入できるという優れた効果が得られる。
【発明を実施するための最良の形態】
【００１３】
本発明の請求項１に記載の発明は、磁気テープを案内する固定ドラムと、前記固定ドラムに対し同軸的に回転し、少なくとも一対の磁気ヘッドを有する回転ドラムと、磁気テープへの記録信号、または磁気テープからの再生信号を伝達するフレキシブルプリント基板で構成された回転ヘッドユニットと、前記固定ドラムに保持され前記フレキシブルプリント基板を保持するホルダと、前記回転ヘッドユニットを保持するシャーシと、前記シャーシの下部に位置する回路基板と、前記固定ドラムの下部に位置し前記フレキシブルプリント基板が挿入され前記回路基板に半田付けされたコネクタから成り、前記コネクタの前記フレキシブルプリント基板挿入孔と直角方向の断面形状は、一方の側面がストレート形状で、もう一方の側面が深さＬ１の段付き形状となっており、前記コネクタのストレート形状の側面側の前記ホルダの下端部には長さＬ２のテーパー部を設け、前記コネクタの段付き形状の側面側の前記ホルダの下端部には長さＬ３のＲ形状を設け、前記ホルダの下端部と前記フレキシブルプリント基板の下端部の距離をＬ４とした時、Ｌ４＞Ｌ２及びＬ４−Ｌ１−Ｌ３≧０．３の関係が成り立つという構成としたものであり、フレキシブルＰ板を確実にコネクタに挿入することができるという作用を有する。
【００１４】
以下、本発明の実施の形態について、図１〜６を用いて説明する。
【００１５】
（実施の形態１）
図１は本発明の実施の形態１におけるフレキシブルプリント基板挿入接続装置の後部側面図を、図２〜図６は図１におけるＹ３−Ｙ４断面図で、組立過程を示すものである。なお、図１において、構成を明確に示すためにシャーシの一部を切り欠いて描画した。また、ホルダ１５の基本構成については、前述した特許文献２に開示されているので、詳細説明は省略する。
【００１６】
図１〜図６を説明すると、１１は磁気テープ（図示せず）を巻回し案内する固定ドラムである。
【００１７】
１２は固定ドラム１１に対し同軸的に回転自在の保持し少なくとも一対の磁気ヘッド（図示せず）を有する回転ドラムで、その外周面に磁気テープを巻回して、モータなどの駆動手段（図示せず）によって回転駆動する。
【００１８】
１３は固定ドラム１１と回転ドラム１２間に設けられ、磁気テープへの記録信号、または磁気テープからの再生信号を伝達する回転トランスユニット（図示せず）から引き出されたフレキシブルプリント基板（以下、フレキシブルＰ板と記す）で、後述するホルダ１５の下端とフレキシブルＰ板１３の下端の距離をＬ４に設定し、ホルダ１５に位置決め保持されている。
【００１９】
１４は固定ドラム１１、回転ドラム１２、フレキシブルＰ板１３で構成される回転ヘッドユニットである。
【００２０】
１５は固定ドラム１１の下部に遊嵌保持されたホルダで、後述するコネクタ１９のストレート形状の側面側の下端部には長さＬ２のテーパー部１５ａを設けている。また、後述するコネクタ１９の段付き部１９ａの側面側に対向する下端部には長さＬ３のＲ形状部１５ｂを設けている。ホルダ１５の基本構造については、特許文献２（特開２００４−１７８７３０号公報）に開示されているので、説明は省略する。
【００２１】
１６は回転ヘッドユニット１４を保持するシャーシ、１７はシャーシ１６の下部に位置する回路基板、１８は回路基板１７を保持しシャーシ１６の位置決め及び台座となるスペーサーである。
【００２２】
１９はフレキシブルＰ板１３が挿入され回路基板１７に半田付けされたコネクタで、フレキシブルＰ板１３が挿入される挿入孔１９ｂと直角方向の断面形状は、回路基板１７への装着時の方向性を持たせるため、一方の側面がストレート形状で、もう一方の側面が深さＬ１の段付き形状（段付き部１９ａ）となっている。ホルダ１５とコネクタ１９とを係合させることで、挿入孔１９ｂにフレキシブルＰ板１３が挿入され、フレキシブルＰ板１３との間で電気的接続がなされる。
【００２３】
以上のように構成された本実施の形態のフレキシブルプリント基板挿入接続装置について、その動作を説明する。
【００２４】
まず、磁気ヘッド（図示せず）を含む回転ドラム１２が回転することによって、回路基板１７→コネクタ１９→フレキシブルＰ板１３→回転トランスユニット（図示せず）→磁気ヘッド（図示せず）という経路で磁気テープ（図示せず）に映像・音声等の情報が記録される。また、記録済みの磁気テープ（図示せず）であれば、上述した逆の経路で記録情報を再生することができることは従来例と同様である。
【００２５】
次に、組立工程について説明する。
【００２６】
回転ヘッドユニット１４を搭載したシャーシ１６をスペーサー１８上に載置する際、ホルダ１５に位置決め保持されたフレキシブルＰ板１３をコネクタ１９に挿入させる必要があるが、スペーサー１８に対するシャーシの挿入姿勢のばらつきや位置誤差等があっても、コネクタ１９の挿入孔１９ｂに対しフレキシブルＰ板１３は確実に挿入できる。
【００２７】
このコネクタ１９の挿入孔に対するフレキシブルＰ板１３の挿入過程について図２〜図６を用いて説明すると、まず図２に示す状態から、回転ヘッドユニット１４に保持されたホルダ１５（説明の便宜上、回転ヘッドドラムユニット１４は図示していない）を矢印方向へ移動させ、ホルダ１５のテーパー部１５ａをコネクタ１９のストレート側上端面１９ｃに当接させる。
【００２８】
すると、ホルダ１５の長さＬ２のテーパー部１５ａが、コネクタ１９のストレート側上端面１９ｃに案内され（図３）、ホルダ１５はコネクタ１９に対して正規の位置へ位置決めされる。フレキシブルＰ板１３が挿入孔１９ｂに対向した位置に位置する（図３→図４）。さらに、図４の状態からホルダ１５を矢印方向へ移動させると、フレキシブルＰ板１３がコネクタ１９の挿入孔１９ｂに挿入される（図６）。
【００２９】
さらに、図２→図５→図６に示すように、ホルダ１５の長さＬ３のＲ形状部１５ｂが、コネクタ１９の深さＬ１の段付き部１９ａに案内された場合でも（図５）、ホルダ１５の下端に対するフレキシブルＰ板１３の下端位置Ｌ４が、ホルダ１５のテーパー部１５ａの長さＬ２に対して、
Ｌ４＞Ｌ２
に設定され、かつ、
Ｌ４−Ｌ１−Ｌ３≧０．３
の関係にあるため、フレキシブルＰ板１３の下端部はコネクタ１９の挿入孔１９ｂ上に位置する。
【００３０】
さらに、スペーサー１８に対し回転ヘッドユニット１４を含むシャーシ１６を矢印方向へ押し込むと、フレキシブルＰ板１３はコネクタ１９の挿入孔１９ｂに挿入され（図６）、最終的にはフレキシブルＰ板１３は確実にコネクタ１９の挿入孔１９ｂに挿入され、ホルダ１５がコネクタ１９に対して位置決めされる。
【００３１】
このように、シャーシ１６の挿入姿勢のばらつきや位置誤差等があっても、ホルダ１５に保持されたフレキシブルＰ板１３をコネクタ１９の挿入孔１９ｂに確実に挿入することができる。
【００３２】
以上のように本実施の形態によれば、シャーシ１６の挿入姿勢のばらつきや位置誤差等があっても、ホルダ１５に保持されたフレキシブルＰ板１３をコネクタ１９に確実に挿入することができ、正常な映像・音声信号が伝達できるフレキシブルプリント基板挿入接続装置を得ることができる。
【産業上の利用可能性】
【００３３】
本発明にかかるフレキシブルプリント基板挿入接続装置は、ビデオテープレコーダー等として有用であり、特に組立過程において確実にフレキシブルＰ板をコネクタに挿入することに適している。
【図面の簡単な説明】
【００３４】
【図１】本発明の実施の形態１におけるフレキシブルプリント基板挿入接続装置の後部側面図
【図２】同実施の形態における図１のＹ３−Ｙ４断面図（組立過程図１）
【図３】同実施の形態における図１のＹ３−Ｙ４断面図（組立過程図２）
【図４】同実施の形態における図１のＹ３−Ｙ４断面図（組立過程図３）
【図５】同実施の形態における図１のＹ３−Ｙ４断面図（組立過程図４）
【図６】同実施の形態における図１のＹ３−Ｙ４断面図（組立過程図５）
【図７】従来のフレキシブルプリント基板挿入接続装置の後部側面図
【図８】図７のＹ１−Ｙ２断面図（組立過程図１）
【図９】図７のＹ１−Ｙ２断面図（組立過程図２）
【図１０】図７のＹ１−Ｙ２断面図（組立過程図３）
【図１１】図７のＹ１−Ｙ２断面図（組立過程図４）
【図１２】図７のＹ１−Ｙ２断面図（組立過程図５）
【符号の説明】
【００３５】
１１    固定ドラム
１２    回転ドラム
１３    フレキシブルＰ板
１４    回転ヘッドユニット
１５    ホルダ
１６    シャーシ
１７    回路基板
１８    スペーサー
１９    コネクタ
【図１】
2006203012.tif 000003
【図２】
2006203012.tif 000004
【図３】
2006203012.tif 000005
【図４】
2006203012.tif 000006
【図５】
2006203012.tif 000007
【図６】
2006203012.tif 000008
【図７】
2006203012.tif 000009
【図８】
2006203012.tif 000010
【図９】
2006203012.tif 000011
【図１０】
2006203012.tif 000012
【図１１】
2006203012.tif 000013
【図１２】
2006203012.tif 000014